(57)【特許請求の範囲】
【請求項１】
フック軸を中心に、ハンガーリングとモーターと太陽電池とハンガーを一体的に組込み、前記太陽電池とハンガーは水平位置と垂直位置の２位置間を回転機構手段により、選択的に移動可能としたことを特徴とする回転乾燥装置。
【請求項２】
前記請求項１に記載の回転乾燥装置において、前記回転機構手段は、前記モーターのケースフランジに取付けた蝶番に太陽電池を装着し、該太陽電池の受光面を水平位置と垂直位置の２位置間を蝶番により回転移動可能な構造としたことを特徴とする回転乾燥装置。
【請求項３】
前記請求項１に記載の回転乾燥装置において、前記回転機構手段は、ハンガーの回転内端に設けたハンガーピンをハンガーリングのピン挿入穴に係合し、該ハンガーの長手方向を水平位置と垂直位置の２位置間を回転移動可能とし、前記ハンガーのハンガーピンの外周に設けた２個の節度凹とハンガーリングに設けた節度凸が選択的に係合して、前記ハンガーの前記２位置で、それぞれ半固定されるようにしたことを特徴とする回転乾燥装置。
【請求項４】
前記請求項１から３のいずれかに記載の回転乾燥装置において、前記フック軸の上端に設けたフックリングの一部を切欠き、前記切欠き上部に、ロックリングを前記フックリングの面と直角方向に回転自由に軸着し、前記ロックリングの重力により、常には、前記切欠き部を前記ロックリングで閉鎖させていることを特徴とする回転乾燥装置。
【発明の詳細な説明】
【技術分野】
【０００１】
この発明は、洗濯物等の乾燥に使用するハンガーで、太陽電池の発電電力で、DCモーターによりハンガーを回転させて、飽和蒸気を飛散させ、短時間に乾燥させる回転乾燥装置に関するものである。  
【背景技術】
【０００２】
下記文献に示す、従来の「ソーラー回転装置」は、太陽電池と回転ハンガーを独立に設け、スタンドに取付けたフックに装着する構造で、使用準備や格納することが面倒で、取り扱いが不便であった。
【先行技術文献】
【特許文献】
【０００３】
【特許文献１】実開新案登録第３１０４２７９号公報
【発明の概要】
【０００４】
本発明は上記事情に鑑みてなされたもので、前記特許文献１では、１２太陽電池を独立して設け、１３スタンドに取付けた２フックに、５モーター出力軸に取付けた８回転ハンガーを装着する構造で、使用準備や格納することが面倒で、取り扱いが不便であった。
本案は、前記太陽電池とハンガーとモーターをフック軸に一体構成し、格納する時は、太陽電池を前記フック軸側に倒立し、更に、ハンガーを前記フック軸側に倒立すれば、小嵩に纏り、収納が容易で、太陽電池とモーターの配線の必要もなく、取り扱いが大幅に便利になる。
【発明が解決しようとする課題】
【０００５】
（１）フック軸とモーターと太陽電池とハンガーの一体化。
（２）太陽電池とハンガーを折り畳み収納可能にする。
（３）支持材から、フック軸に設けたフックリングが強風で外れることの防止。
(４) 太陽電池とモーターとスイッチの配線内蔵による操作性改善。
【課題を解決するための手段】
【０００６】
（１）フック軸とモーターと太陽電池とハンガーの一体組み付け構造。
（２）太陽電池とハンガーをフック軸側へ折り畳み、小嵩にして収納容易化。
（３）フックリングにロックリングを組込み、ハンガーの外れ防止。
(４) 太陽電池とモーターとスイッチの配線内蔵による操作性改善。  
【発明の効果】
【０００７】
前記解決手段により、従来品に比べ、下記の点が大幅に改善される。
（１）フック軸とモーターと太陽電池とハンガーの一体組み付けによるコスト低減。
（２）太陽電池とハンガーをフック軸側へ折り畳み構造で、使用と収納の容易化。
(３)支持部材からフックリングの外れを防止でき、ハンガー落下の心配がない。  
（４）スイッチをハンガーリング上に取付け、配線内蔵で、操作性の改善。
【図面の簡単な説明】
【０００８】
【図１】本案の外観斜視図
【図２】本案の側面断面図(図１のA-A’断面)
【図３】ハンガー回転軸と節度の拡大説明図(図２のB-B’断面)
【発明を実施するための形態】
【０００９】
以下に図１から図３を参照して本案の構造と作動を説明する。
図１は本案の外観斜視図、図２は図１のA-A’断面、図３は図２のB-B’断面である。
図1の１は回転乾燥装置の全体を示し、主に２フックリングと４フック軸と６モーターと１０太陽電池と１４ハンガーによって構成される。
図１〜図３を用いて構造と作動を説明する。
４フック軸の上部に２フックリングが構成され、Oリングの一部をカットした形で、カット部分に３ロックリングが３aカラーを介して３bビスにより締付けられているが、３aカラーを軸心にして２フックリングの面と直角方向に回転自由で、３ロックリングの重力で、常には、前記Oリングを全周閉じた形になり、１５支持部材を通す時のみ、手で３ロックリングを⇒Y方向に回転させてOリングの一部を開いて通過させる。
４フック軸の下部は５モーターケースが４aビスにより組み付けられ、内部に図２に示す様に、５モーターケースに６ギヤードモーターを固着した状態で組み込まれている。５モーターケースの下端には５aケースフランジが構成され、９蝶番が１１蝶番ビスによって固定され、９蝶番の回転軸外側に、それぞれの１０太陽電池が接着固定され、収納時には、垂直方向に回転移動できる構造にしている。７モーター軸は１２ハンガーリング中央上部設けた１２eハンガーボスの中心穴に挿入され８軸止ビスで固定されている。１２ハンガーリングの一段下がった外周には４フック軸を中心に複数の１４ハンガーが放射状に等間隔で配置され、１４ハンガーは回転可能に軸支されている。その構造を拡大説明図として図３に示す様に、１４ハンガー内端の両側面に１４eハンガーピンが設けられ、１２ハンガーリングの１４ハンガー取付けスペースの両端に面取り状の１２cピン挿入ガイドと、その下にU字形をした１２dピン挿入穴が設けられ、前記１４eハンガーピンを１２cピン挿入ガイドに沿って下方向に圧入すると１２fピン保持壁を１２b肉抜き穴の方向に変形させて、通過し１２dピン挿入穴に係合する。
また、１４eハンガーピンを中心とする外周は半円形で、水平方向に１４c節度水平凹と垂直方向に１４d節度垂直凹がV字形に設けられ、１２ハンガーリング側から突出する１２a節度凸と係合し、１２ハンガーが水平方向と垂直方向のいずれかで、前記節度の係合が行われ、半固定状態を生ずる構造にしてある。
また、１４ハンガーの上面の両側には１４aロック内爪と１４bロック外爪が構成され、洗濯物が風で飛ばされないように挟み固定する機能を付与している。
次に、電気関係の配線は、２個の太陽電池は並列に接続され、出力は５モーターケースの下部側面に取付けた１３スイッチで、図１の５モーターケース側面に見える１３aスイッチノブに依って開閉されるスイッチを経由して、６ギヤードモーターに接続されている。
尚、前記６ギヤードモーターの性能は、出力軸の回転速度は毎分１０〜３０回転程度で良く、遊星歯車等を用いた減速比の大きいギャーを用い、従って、DCモーターの出力トルクは極めて小さく、消費電力の小さいモーターで良い。
また、２個の太陽電池を直列に接続し、高電圧にしてDCモーターの電流を少なくし、太陽光の少ない時も作動出来る様にしても良い。
しかし、前記２個の太陽電池を並列に接続すると、太陽の位置により一方の電池が日陰に入っても、他の一方には日が当たり停電することが無いメリットがある。
また、本案の事例ではギヤードモーターを使用していますが、DCモーターと減速ギャーを独立して構成使用しても良いことは当然です。
【００１０】
次に、作業手順と作動原理を説明する。
図１及び図２を用いて使用を開始する手順を示す。２フックリングに１５フック支持部材を通すには、３ロックリングを図２の⇒Yの方向にずらして行う。通した後は手を離せば重力で自動的に閉鎖位置に戻る。次に図２の１４Aハンガーを垂直位置から⇒Z方向の反対に回転させ水平方向に倒す。次に１０A太陽電池を垂直位置から⇒X方向の反対に回転させて水平位置に倒す。これで使用状態の準備は完了する。
次に１４ハンガーへ吊るす乾燥物は、洗濯物に限らず、魚の干物等でも良いが、１４a、１４bロック爪に掛けるか、選択挟み等で固定して風に飛ばされないようにすることが望ましい。この状態で図１の１３aスイッチノブをON位置に入れると１０太陽電池の発電電力で６DCモーターが回転し、１４ハンガーが回転する。１４ハンガーを回転させる目的は、乾燥物の周りに浮遊する水蒸気を早く乾燥物から切り離すことで、従来の洗濯物が早く乾かない原因は、乾燥物から発生した水蒸気を含む水分濃度が飽和点に達すると、それ以上に水蒸気の蒸発を止めてしまう為であり、風の吹く日は良く乾くのは、前記飽和蒸気を大気中に早く飛散させるためで、本発明はこの原理を応用して、風が無くても、乾燥物を回転させて、前記飽和蒸気を強制的に飛散させるものである。
しかし、太陽電池の発電量は太陽光の強さ次第で変化するので、最少の電力でも回転するモーターのギャー比を選択することが必要で、乾燥物からの水蒸気の発生量を遅滞なく拡散させる必要速度は、ハンガーの回転速度として毎分１０〜３０回転有れば十分と考えます。従ってハンガーの長さを小さくすれば、市販の小型の太陽電池１個でも十分作動すると考えます。
この発明の他の目的は、収納時の折り畳みによる小嵩化を図ることです。前記特許文献１の様に太陽電池とモーターを分離設置すれば、それに伴う配線の処理も面倒になるので、本案ではそれらを一体化して、使用や収納が楽な構造を発明しました。また、乾燥物を支えるフックをスタンドで支持することは強風を考えると成り立ちません。従って、本案ではフックをOリング状にして、しっかりした支持部材を通し、しかも容易に外れないように、ロックリングを装着したことも大きな特徴です。  
尚、収納時の手順は、前記使用準備の反対を行えばよいので、説明を省略させて頂きます。      
【産業上の利用可能性】
【００１１】
従来の回転乾燥装置は、太陽電池とモーター付ハンガーとフックを独立して設けた事例がみられますが、実際に家庭で奥様方が使用するには、使用準備や収納が面倒ですが、本案に依れば、物干し場に実在するバーや紐に本案のフックを通して取付ければ、後はハンガーを広げ、太陽電池を水平に倒して、乾燥物を装着し、スイッチONするだけです、乾燥物の取付けは従来通り行えばよく、乾燥時間は風の有る時と同様に短時間で乾燥できる優れものです。収納も簡単で、小嵩に纏り、取り扱い便利で、電池も不要で、コストも安く、家庭用又は乾燥物業にも大きく貢献できると考えます。
【符号の説明】
【００１２】
１回転乾燥装置、２フックリング、３ロックリング、３aカラー、３bビス、４フック軸、４aビス、５モーターケース、５aケースフランジ、６ギヤードモーター、７モーター軸、８軸止ビス、９蝶番、１０太陽電池、１０A太陽電池格納位地、１１蝶番ビス、１２ハンガーリング、１２a節度凸、１２b肉抜き穴、１２cピン挿入ガイド、１２dピン挿入穴、１２eハンガーボス、１２fピン保持壁、１３スイッチ、１３aスイッチノブ、１４ハンガー、１４Aハンガー格納位地、１４aロック内爪、１４bロック外爪、１４c節度水平凹、１４d節度垂直凹、１４eハンガーピン、１５フック支持部材    ⇒X・１０太陽電池折り畳み方向、⇒Y・３ロックリングの解放方向、⇒Z・１４ハンガー折り畳み方向
【要約】 
本案は、太陽電池とハンガーとモーターをフック軸に一体組み付けし、格納する時は、前記太陽電池を前記フック軸側に倒立し、更に、ハンガーを前記フック軸側に倒立すれば、小嵩に纏り、収納が容易で、太陽電池とモーターの配線の必要もなく、取り扱いが大幅に改善された回転乾燥装置を提供する。
【選択図】  図１【図１】
0004827208.tif 000002
【図２】
0004827208.tif 000003
【図３】
0004827208.tif 000004